(57)【要約】      （修正有）【課題】浴室に湯水をミストとして噴霧するミスト手段と、ミスト手段へ供給する湯水温度を設定可能な湯水温度設定手段と、湯水温度設定手段により設定湯水温度に温度設定した湯水をミスト手段により浴室に噴霧するミスト運転を実行可能な制御手段を備え、使用者の快適性をより向上させる浴室ミスト装置の提供。【解決手段】浴室温度を検出する浴室温度検出手段３６と、浴室温度を調整可能な浴室温度調整手段とを備え、制御手段５１が、浴室温度検出手段３６で検出された浴室温度が目標浴室温度となるように浴室温度調整手段Ａ，Ｂを制御する浴室温度制御を実行しながら、浴室温度が高くなるほど設定湯水温度を低くめに設定する形態で湯水温度設定手段５２を制御する湯水温度制御を実行する浴室ミスト装置。【選択図】図２
2007268172.tif 000002
【特許請求の範囲】
【請求項１】
浴室に湯水をミストとして噴霧するミスト手段と、前記ミスト手段へ供給する湯水温度を設定可能な湯水温度設定手段と、前記湯水温度設定手段により設定湯水温度に温度設定した湯水を前記ミスト手段により前記浴室に噴霧するミスト運転を実行可能な制御手段を備えた浴室ミスト装置であって、
前記浴室温度を検出する浴室温度検出手段と、
前記浴室温度を調整可能な浴室温度調整手段とを備え、
前記制御手段が、前記ミスト運転時において、前記浴室温度検出手段で検出された前記浴室温度が目標浴室温度となるように前記浴室温度調整手段を制御する浴室温度制御を実行しながら、前記浴室温度検出手段で検出された浴室温度が高くなるほど前記設定湯水温度を低くめに設定する形態で前記湯水温度設定手段を制御する湯水温度制御を実行する浴室ミスト装置。
【請求項２】
前記制御手段が、前記湯水温度制御において、前記浴室温度検出手段で検出された浴室温度と、使用者に到達するミスト温度が特定ミスト温度となるときの前記浴室温度と前記湯水温度との相関関係を示すデータテーブルとを用いて、前記設定湯水温度を決定するように構成されている請求項１に記載の浴室ミスト装置。
【請求項３】
前記制御手段が、前記ミスト運転として、前記特定ミスト温度を、人体の標準皮膚温よりも低めの温度に設定する冷ミスト運転を実行可能に構成されている請求項２に記載の浴室ミスト装置。
【請求項４】
前記制御手段が、前記冷ミスト運転での前記浴室温度制御において、前記目標浴室温度を、前記冷ミスト運転開始時に前記浴室温度検出手段で検出された浴室温度に設定する請求項３に記載の浴室ミスト装置。
【請求項５】
前記制御手段が、前記ミスト運転として、前記特定ミスト温度を、人体の発汗を促す温度に設定する温ミスト運転を実行可能に構成されている請求項２〜４の何れか一項に記載の浴室ミスト装置。
【請求項６】
前記制御手段が、前記温ミスト運転での前記浴室温度制御において、前記目標浴室温度を、人体の発汗を促す温度に設定する請求項５に記載の浴室ミスト装置。
【請求項７】
前記設定湯水温度を補正可能な湯水温度補正手段を備えた請求項１〜６の何れか一項に記載の浴室ミスト装置。
【請求項８】
前記浴室温度調整手段が、前記浴室の換気量を調整可能な換気手段、及び、前記浴室への温風供給量を調整可能な暖房手段との少なくとも一方で構成されている請求項１〜７の何れか一項に記載の浴室ミスト装置。
【発明の詳細な説明】
【技術分野】
【０００１】
浴室に湯水をミストとして噴霧するミスト手段と、前記ミスト手段へ供給する湯水温度を設定可能な湯水温度設定手段と、前記湯水温度設定手段により設定湯水温度に温度設定した湯水を前記ミスト手段により前記浴室に噴霧するミスト運転を実行可能な制御手段を備えた浴室ミスト装置に関する。
【背景技術】
【０００２】
上記のような従来の浴室ミスト装置として、４０〜５０℃の温水をミストノズル等のミスト手段で浴室に噴霧して、浴室を使用者の発汗を促す高温多湿なミストサウナ空間とする温ミスト運転を行うように構成されたものが、知られている（特許文献１参照。）。
【０００３】
更に、このような浴室ミスト装置は、上記温ミスト運転を行って、温水が噴霧されている浴室に対して、４０℃程度の温風を吹出すことで、浴室を一層高温多湿なミストサウナ空間とすることができる。
【０００４】
一方で、温ミスト運転の実行後や運動後又は夏季において、身体の温度を下げる目的で、冷水をミスト手段で噴霧する冷ミスト運転を実行できるように構成される場合がある（例えば、特許文献２を参照。）。
【０００５】
そして、上記冷ミスト運転により、使用者は心身の負担が比較的大きい水風呂や冷水シャワーを浴びるようなことをせずに、快適に身体を冷やすことができる。
【０００６】
【特許文献１】特開２００１−２７６１７０号公報
【特許文献２】特開平８−１６４１８１号公報
【発明の開示】
【発明が解決しようとする課題】
【０００７】
しかし、上記のような従来の浴室ミスト装置では、ミストを浴びる使用者に到達するミスト温度が、季節や運転状態の外的環境の変動によって変化して、使用者の使用感が変化する場合がある。例えば、上記温ミスト運転及び冷ミスト運転を実行する際に、浴室温度よりも高温の湯水を噴霧して生成されたミストは、浴室内の空気に対する放熱（浴室温度よりも低温の湯水を噴霧した場合は吸熱）により、人体に到達した時点では、噴霧した時点よりも、温度が低下（浴室温度がミスト温度よりも高い場合は上昇）することになる。すなわち、季節や運転状態等の外的環境の変動により到達ミスト温度が変化するため、使用者が不快に感じる。また、ミストの浴室への放熱及び吸熱により、浴室温度が変化しやすくなり、一層不快となりやすい。
【０００８】
本発明は、上記の課題に鑑みてなされたものであり、その目的は、使用者の快適性をより向上させる浴室ミスト装置を提供する点にある。
【課題を解決するための手段】
【０００９】
上記目的を達成するための本発明に係る浴室ミスト装置は、浴室に湯水をミストとして噴霧するミスト手段と、前記ミスト手段へ供給する湯水温度を設定可能な湯水温度設定手段と、前記湯水温度設定手段により設定湯水温度に温度設定した湯水を前記ミスト手段により前記浴室に噴霧するミスト運転を実行可能な制御手段を備えた浴室ミスト装置であって、その第１特徴構成は、前記浴室温度を検出する浴室温度検出手段と、前記浴室温度を調整可能な浴室温度調整手段とを備え、前記制御手段が、前記ミスト運転時において、前記浴室温度検出手段で検出された前記浴室温度が目標浴室温度となるように前記浴室温度調整手段を制御する浴室温度制御を実行しながら、前記浴室温度検出手段で検出された浴室温度が高くなるほど前記設定湯水温度を１低くめに設定する形態で前記湯水温度設定手段を制御する湯水温度制御を実行する点にある。
【００１０】
上記第１特徴構成によれば、ミスト運転時に湯水温度制御を実行して、浴室温度が高い場合には、浴室温度より高い湯水温度でミスト手段から噴霧されたミストは人体に到達するまでの放熱量が小さい（浴室温度より低い湯水温度で噴霧した場合は吸熱量が大きい）ことから、湯水温度を低めに設定し、逆に、浴室温度が低い場合には、浴室温度より高い湯水温度でミスト手段から噴霧されたミストが人体に到達するまでの放熱量が大きい（浴室温度より高い湯水温度で噴霧した場合は吸熱量が小さい）ことから、湯水温度を高めに設定することで、人体に到達するミストの温度を略快適な状態に保つことができる。また、このような湯水温度制御を実行することで、浴室の温度はミストからの放熱により変化しやすい状態となるが、上記浴室温度制御を実行することで、浴室温度が目標浴室温度となるように、浴室を快適な状態とすることができる。また、浴室温度が目標浴室温度となるようにされることから、湯水温度制御における湯水温度の変動を極力小さくすることができ、湯水温度の変動により使用者に与える不快感を低減し、快適性を向上することができる。
【００１１】
本発明に係る浴室ミスト装置の第２特徴構成は、上記第１特徴構成に加えて、前記制御手段が、前記湯水温度制御において、前記浴室温度検出手段で検出された浴室温度と、使用者に到達するミスト温度が特定ミスト温度となるときの前記浴室温度と前記湯水温度との相関関係を示すデータテーブルとを用いて、前記設定湯水温度を決定するように構成されている点にある。
【００１２】
上記第２特徴構成によれば、ミスト運転時に湯水温度制御を実行して、上記浴室温度検出手段で実際に検出された浴室温度と上記データテーブルとを用いて設定湯水温度を決定することで、ミスト手段から噴霧され使用者に到達したミストの温度が快適な特定ミスト温度とされやすくなり、使用者の快適性を向上することができる。また、上記のようなデータテーブルは、ミストが人体に到達するまでの放熱量を考慮して簡単に作成することができ、制御手段にこの作成したデータテーブルを予め記憶させて用いることができる。
【００１３】
本発明に係る浴室ミスト装置の第３特徴構成は、上記第２特徴構成に加えて、前記制御手段が、前記ミスト運転として、前記特定ミスト温度を、人体の標準皮膚温よりも低めの温度に設定する冷ミスト運転を実行可能に構成されている点にある。
【００１４】
上記第３特徴構成によれば、制御手段が実行するミスト運転としては、上記のような冷ミスト運転を挙げることができ、このような冷ミスト運転を行って、使用者に到達するミストの温度が標準皮膚温よりも低めの温度となるように調整されることで、使用者の体温を低下させる所謂クールダウンを実施することができる。
【００１５】
本発明に係る浴室ミスト装置の第４特徴構成は、上記第３特徴構成に加えて、前記制御手段が、前記冷ミスト運転での前記浴室温度制御において、前記目標浴室温度を、前記冷ミスト運転開始時に前記浴室温度検出手段で検出された浴室温度に設定する点にある。
【００１６】
上記第４特徴構成によれば、冷ミスト運転時に、上記浴室温度制御を実行して、浴室温度を運転開始時の浴室温度となるようにすることで、浴室温度よりも高温のミストからの放熱による浴室温度の上昇を抑制し、良好なクールダウン効果を発揮することができる。また、ミストの温度が運転開始時の浴室温度よりも低い場合には、浴室温度が運転開始時の浴室温度よりも低下することも抑制することができるので、使用者が寒すぎると感じることがなく、使用者の快適性を向上することができる。
【００１７】
本発明に係る浴室ミスト装置の第５特徴構成は、上記第２から第４の特徴構成の何れか一つに加えて、前記制御手段が、前記ミスト運転として、前記特定ミスト温度を、人体の発汗を促す温度に設定する温ミスト運転を実行可能に構成されている点にある。
【００１８】
上記第５特徴構成によれば、制御手段が実行するミスト運転としては、上記のような温ミスト運転を挙げることができ、このような温ミスト運転を行って、使用者に到達するミストの温度が発汗を促進する温度となるように調整されることで、この使用者の発汗作用を促して美容と健康の増進を図る所謂ミストサウナを実施することができる。
【００１９】
本発明に係る浴室ミスト装置の第６特徴構成は、上記第５特徴構成に加えて、前記制御手段が、前記温ミスト運転での前記浴室温度制御において、前記目標浴室温度を、人体の発汗を促す温度に設定する点にある。
【００２０】
上記第６特徴構成によれば、温ミスト運転時に上記浴室温度制御を実行して、浴室温度を人体の発汗を促す温度となるようにすることで、使用者の発汗作用を一層促進しながら、浴室温度の過剰な上昇又は低下を防止して、使用者の快適性を向上することができる。
【００２１】
本発明に係る浴室ミスト装置の第７特徴構成は、上記第１から第６の特徴構成の何れか一つに加えて、前記設定湯水温度を補正可能な湯水温度補正手段を備えた点にある。
【００２２】
上記第７特徴構成によれば、上記湯水温度補正手段により、ミスト運転時において、ミスト手段に供給される湯水の温度として湯水温度制御により決定される設定湯水温度を補正することができるので、浴室温度とは別の因子、例えば使用者の嗜好や季節などに応じて、使用者の快適性を向上するべく、設定湯水温度を適宜補正することができる。
【００２３】
本発明に係る浴室ミスト装置の第８特徴構成は、上記第１から第７の特徴構成の何れか一つに加えて、前記浴室温度調整手段が、前記浴室の換気量を調整可能な換気手段、及び、前記浴室への温風供給量を調整可能な暖房手段との少なくとも一方で構成されている点にある。
【００２４】
上記第８特徴構成によれば、上記浴室温度調整手段を、換気量調整を伴って浴室の換気を行う換気手段や、温風供給量調整を伴って浴室に温風を供給する暖房手段のように、簡単で且つ浴室に設置された浴室暖房乾燥機が備えるような手段で構成することができる。また、上記換気手段を上記浴室温度設定手段として構成する場合には、浴室温度よりも外気温度が低いときには換気量を増加するほど浴室温度を低い側に調整することができ、逆に、浴室温度よりも外気温度が高いときには換気量を増加するほど浴室温度を高い側に調整することができる。一方、上記暖房手段を上記浴室温度設定手段として構成する場合には、浴室温度を低い側に調整することはできないが、浴室への温風供給量を増加するほど浴室温度を高い側に調整することができる。また、上記換気手段と上記暖房手段とを組み合わせて上記浴室温度調整手段を構成しても構わず、例えば、浴室温度よりも外気温度が低いときに浴室温度を低い側に調整する場合には上記換気手段を用い、浴室温度を高い側に調整する場合には上記暖房手段を用いるように構成することができる。
【発明を実施するための最良の形態】
【００２５】
本発明の実施の形態について、図面に基づいて説明する。
図１及び図２に示すように、浴室ミスト装置は、熱源器１と、収納ボックス１０と、本体ケーシング３０と、制御装置５と、リモコン６等から構成されている。以下、浴室ミスト装置を構成する上記機器の構成について、順に説明する。
【００２６】
熱源器１は、温度調整を伴って湯水を加熱可能に構成されており、更に、この熱源機１には、熱源機１で加熱した湯水を本体ケーシング３０及び収納ボックス１０側に送る往き路２と、本体ケーシング３０及び収納ボックス１０側を循環した湯水を熱源器１に送る戻り路３が接続されている。また、収納ボックス１０内における往き路２には、熱源器１で加熱された湯水の温度を検出する温度センサ１３が設けられており、この温度センサ１３の検出結果である温度信号が制御装置５に送信される。
【００２７】
後述する本体ケーシング３０の下面側には、浴室Ｙに湯水をミストとして噴霧するミストノズル３５（ミスト手段の一例）が設けられており、収納ボックス１０には、水道から供給された給水を後述するミスト用熱交換器１９で適宜加熱した後に湯水としてミストノズル３５に供給する通水路１９と、上記熱源器１から供給された湯水が流通する往き路２と、上記熱源機１へ供給される湯水が流通する戻り路３とが配置されている。
【００２８】
更に、収納ボックス１０には、後述するミスト用熱交換器１９を通じて往き路２と戻り路３との間を接続するミスト用熱源路１４と、後述する温風用熱交換器３１を通じて往き路２と戻り路３との間を接続する温風用熱源路１５とが設けられている。更に、これら夫々の熱源路１４，１５には、湯水の流通を断続可能な開閉弁１６，１７が設けられている。また、通水路４にも給水を断続可能な開閉弁１８が設けられている。
【００２９】
また、ミスト用熱源路１４には、ミスト用熱源路１４を流通する湯水からの伝熱により通水路４を流通する給水を加熱可能なミスト用熱交換器１９が設けられている。
更に、通水路４において上記熱交換器１９の下流側には、ミストノズル３５への湯水の供給量を調整可能な調整弁２１と、ミストノズル３５へ供給される湯水温度を検出する温度センサ２０とが設けられており、この温度センサ２０の検出結果である温度信号が制御装置５に送信される。
【００３０】
よって、制御装置５は、上記温度センサ２０の検出結果に基づいて熱源機１で加熱され上記ミスト用熱源路１４を通じて上記ミスト用熱交換器１９を流通する湯水温度を制御することで、当該ミスト用熱交換器１９により加熱され通水路４を通じてミストノズル３５へ供給される湯水温度を設定可能な湯水温度設定手段５２として機能する。具体的には、この湯水温度設定手段５２は、温度センサ２０で検出された湯水温度が設定湯水温度よりも低い場合には、熱源機１からミスト用熱交換器１０へ供給される湯水温度を高めに設定し、逆に、温度センサ２０で検出された湯水温度が設定湯水温度よりも高い場合には、熱源機１からミスト用熱交換器１０へ供給される湯水温度を低くめに設定する形態で、ミストノズル３５へ供給する湯水温度を設定湯水温度に設定する。
【００３１】
また、制御装置５は、この湯水温度設定手段５２により設定湯水温度に温度設定した湯水をミストノズル３５により浴室Ｙに噴霧するミスト運転を実行可能な制御手段５３としても機能するように構成されている。即ち、制御装置５は、上記ミスト運転において、開閉弁１６を開状態として、熱源機１で適宜加熱された湯水を、ミスト用熱源路１４を通じてミスト用熱交換器１９に流通させながら、開閉弁１８を開状態として給水を、通水路４を通じてミスト用熱交換器１９に流通させることで、設定湯水温度に温度設定された湯水を、ミストノズル３５を通じて浴室Ｙに噴霧するように構成されている。
【００３２】
通水路４の温度センサ２０の下流で且つ供給弁２１の上流には、排水路２２が接続されており、当該排水路２２に設けられた開閉弁２３を開状態とすることで、不要な湯水を、排水路２２を通じて外部に排出可能となっている。
【００３３】
本体ケーシング３０には、浴室Ｙ内の空気を吸気する吸気口３４と、浴室Ｙ内へ空気を吹出す吹出口３５と、上記温風用熱源路１５を流通する湯水からの伝熱により浴室Ｙ内から吸気口３４を通じて吸引された空気を加熱可能な温風用熱交換器３１と、当該温風用熱交換器３１を通過した空気を吹出口３５を通じて浴室Ｙ内に送出する循環ファン３３と、浴室Ｙ内から吸気口３４を通じて吸引された空気を屋外に送出する換気ファン３２等を備えて構成されている。
更に、本体ケーシング３０の下面には、浴室Ｙ内の温度（浴室温度）を検出可能な温度センサ３６（浴室温度検出手段の一例）が設けられており、この温度センサ３６の検出結果である温度信号が制御装置５に送信される。
【００３４】
そして、上記のような本体ケーシング３０の構成により、制御装置５は、浴室Ｙ内を暖房する暖房運転を実行する場合に、開閉弁１７を開状態として、熱源機１で加熱した比較的高温の湯水を、温風用熱源路１５を通じて温風用熱交換器３１に流通させながら、循環ファン３３を稼動させて浴室Ｙ内の空気を温風用熱交換器３１に流通させて加熱して、当該加熱された空気を温風として吹出口３５から浴室Ｙ内に吹出すように構成されている。一方、制御装置５は、浴室Ｙ内を換気する換気運転を実行する場合に、開閉弁１７を閉状態として温風用熱交換器３１に湯水を流通させずに、換気ファン３２を稼動させて浴室Ｙ内の空気を屋外に送出するように構成されている。
【００３５】
そして、上記のように温風用熱交換器３１及び循環ファン３３等のように暖房運転を行うための手段を暖房手段Ａと呼び、更に、換気ファン３２等のように換気運転を行うための手段を換気手段Ｂと呼ぶ。
【００３６】
また、暖房手段Ａは、循環ファン３３の出力調整により浴室Ｙへの温風供給量が調整可能に構成されており、一方、換気手段Ｂは、換気ファン３２の出力調整により浴室Ｙの換気量が調整可能に構成されている。
即ち、この暖房手段Ａ及び換気手段Ｂは、暖房運転を実行している際には温風供給量を調整することで浴室温度を調整し、一方、換気運転を実行している際には、換気量を調整することで浴室温度を調整する形態で、浴室温度を調整可能な浴室温度調整手段として機能するように構成されている。
【００３７】
リモコン部６は、浴室ミスト装置の電源スイッチ６１、運転モード切替スイッチ６２、液晶６３、各種設定を行うための選択ボタン６４と決定ボタン６５等から構成されており、制御装置５は、電源スイッチ６１の操作により浴室ミスト装置の起動及び停止を行い、運転モード切替スイッチ６２の操作によりミスト運転における各種運転モードの切り替えや、その他暖房運転又は乾燥運転の切り替えなどを行い、選択ボタン６４と決定ボタン６５の操作によりミスト運転における設定湯水温度の補正等を行うことができる。また、上記ミスト運転における運転モードとしては、温ミスト運転、冷ミスト運転等がある。
【００３８】
制御装置５は、所定のデータテーブルを格納する記憶部５４を備えており、この記憶部５４には、詳細については後述するが、使用者に到達するミスト温度が特定ミスト温度となるときの前記浴室温度と熱源器１から送られてくる湯水温度との相関関係を示すデータテーブルが格納されている。
【００３９】
更に、制御装置５は、後述するリモコン６の選択ボタン６４と決定ボタン６５の操作により、ミスト運転において、ミストノズル３５へ供給される湯水の設定湯水温度をあつめに補正したり、つめために補正する湯水温度補正手段５３として機能するように構成されている。即ち、この湯水温度補正手段５３は、使用者が選択ボタン６４と決定ボタン６５の操作により「あつめ」を選択する毎に、上述したミスト運転においてミストノズル３５に供給する湯水の温度として設定された設定湯水温度を全体的に０．５℃ずつ高めにシフトさせ、逆に、「つめため」を選択する毎に、上述したミスト運転においてミストノズル３５に供給する湯水の温度として設定された設定湯水温度を全体的に０．５℃ずつ低めにシフトさせるように構成されている。
【００４０】
以下、制御手段５１により実行されるミスト運転について順次説明する。
制御手段５１は、湯水温度設定手段５２により設定湯水温度に温度設定した湯水をミストノズル３５により浴室Ｙに噴霧するミスト運転において、温度センサ３６で検出された浴室温度が目標浴室温度となるように浴室温度調整手段Ａ，Ｂを制御する浴室温度制御を実行しながら、浴室温度検出手段５３で検出された浴室温度が高くなるほど、ミストノズル３５へ供給する湯水の温度として設定される設定湯水温度を低くめに設定する形態で湯水温度設定手段５を制御する湯水温度制御を実行するように構成されている。
【００４１】
具体的に、制御手段５１は、上記ミスト運転として、比較的低めの設定湯水温度の湯水を浴室Ｙに噴霧して使用者の体温を低下させるクールダウンを実施するための冷ミスト運転と、比較的高めの設定湯水温度の湯水を浴室Ｙに噴霧して使用者に発汗させるミストサウナを実施するための温ミスト運転とを択一的に実行可能に構成されている。
そして、制御手段５１は、これらミスト運転における湯水温度制御において、温度センサ３６で検出された浴室温度と、記憶部５４において冷ミスト運転用又は温ミスト運転用として各別に格納されたデータテーブルとを用いて、設定湯水温度を決定するように構成されており、このように制御手段５１により実行される冷ミスト運転及び温ミスト運転の詳細な制御フローについて、以下に説明を加える。
【００４２】
〔冷ミスト運転〕
次に、図３に示す処理フローに基づいて、制御手段５１により実行される冷ミスト運転について説明する。
冷ミスト運転は、用者がリモコン６により浴室ミスト装置の電源を入れ、運転切り替えスイッチ６２により「冷ミスト運転」に設定し決定ボタン６５を押下することで開始される（ステップ＃３．０）
【００４３】
冷ミスト運転が開始され、後述する各種変数ｎ、Ｔａ、Ｔａｏ、ΔＴａ，Ｖｃが初期化（０に設定）された後に（ステップ＃３．１）、温度センサ７により浴室温度Ｔａが検出され（ステップ＃３．２）、この検出された浴室温度Ｔａが高くなるほどミストノズル３５へ供給される湯水の設定湯水温度Ｔｗを低くめに設定する形態で湯水温度設定手段５２を制御する湯水温度制御が実行される。
【００４４】
詳しくは、この湯水温度制御において、その浴室温度Ｔａをキー情報として、記憶部５４に格納されている下記に示すような冷ミスト運転用データテーブルにおいてその浴室温度Ｔａに関連付けられている湯水温度が抽出され、その袖出された湯水温度が設定湯水温度Ｔｗとして決定される（ステップ＃３．５）。
そして、湯水温度設定手段５２が制御されて設定湯水温度Ｔｗに温度設定された湯水が、ミストノズル３５に供給され（ステップ＃３．６）、その湯水が浴室Ｙに噴霧される。
【００４５】
ここで、上記冷ミスト運転用データテーブルは、使用者に到達するミスト温度が人体の標準皮膚温よりも低めの特定ミスト温度（例えば３４℃程度）となるような浴室温度Ｔａに対する設定湯水温度Ｔｗの相関関係を示したデータテーブルである。即ち、浴室温度Ｔａが高くなるほど上記ミスト温度が高くなりやすく、逆に、浴室温度Ｔａが低くなるほど上記ミスト温度が低くなりやすいことから、上記冷ミスト運転用データテーブルにおける浴室温度と湯水温度との関係では、ミスト温度が常に特定ミスト温度となるように、浴室温度Ｔａが高くなるほど、湯水温度が低くめに設定されている。このような冷ミスト運転用データテーブルとしては、浴室温度が３３℃程度と低めの場合において湯水温度が３４℃程度と高めに設定され、浴室温度Ｔａが４０℃程度と高めの場合において湯水温度が３２℃程度と低めに設定されているデータテーブルを使用することができる。
よって、上記湯水温度制御において、実際に検出した浴室温度Ｔａと、この冷ミスト運転用データテーブルとを用いて、設定湯水温度Ｔｗｏを決定し、その設定湯水温度Ｔｗｏの湯水をミストノズル３５から浴室Ｙに噴霧することで、使用者に到達するミストの温度を人体の冷却を促す温度に保つことができる。
【００４６】
更に、温度センサ３６で検出される浴室温度Ｔａが、使用者の快適性を保つ目標浴室温度Ｔａｏに近づけるように浴室温度調整手段として機能する換気手段Ｂを制御する浴室温度制御が実行される。尚、上記冷ミスト運転における目標浴室温度Ｔａｏは、冷ミスト運転開始直後の浴室温度Ｔａに設定されており、例えば、本フローを繰り返す毎に繰り上げられる変数ｎが０であると判定したときに（ステップ＃３．３）、冷ミスト運転開始直後であると判断して、ステップ＃３．２で検出した浴室Ｔａが目標浴室温度Ｔａｏに代入される（ステップ＃３．４）。
尚、本実施形態では、冷ミスト運転における目標浴室温度Ｔａｏを、冷ミスト運転開始時に温度センサ３６で検出された浴室温度Ｔａに設定したが、別に、目標浴室温度を例えば固定値等別の温度に設定しても構わない。
【００４７】
また、この浴室温度制御では、浴室温度Ｔａに対する目標浴室温度Ｔａｏの温度差ΔＴａが算出され（ステップ＃３．７）、上記温度差ΔＴａが大きいほど設定換気量Ｖｃが大きめに決定され（ステップ＃３．８）、浴室温度調整手段として機能する換気手段Ｂの換気量が設定換気量Ｖｃに設定されて換気運転が実行される（ステップ＃３．９）。
即ち、浴室温度Ｔａが、目標浴室温度Ｔａｈに対して高い場合には、大きめの設定換気量Ｖｃで浴室Ｙ内の空気が換気されるので、浴室温度Ｔａを低下させて、運転開始直後の浴室温度に設定された目標浴室温度Ｔａｏに近づけることができる。
尚、ステップ＃３．７において、温度差ΔＴａは、ステップ＃３．６で設定湯水温度Ｔｗｏの湯水を供給してから新たに検出した浴室温度Ｔａを用いて算出することができる。また、この浴室温度Ｔａを検出するタイミングは、ステップ＃３．６で設定湯水温度Ｔｗｏの湯水を供給してから、ある程度の時間が経過してからが望ましい。
【００４８】
また、これまで説明してきた冷ミスト運転は、使用者が運転切り替えスイッチ６２により「運転停止」に設定し決定ボタン６５を押下したときに、又は、予め設定された運転時間が経過したとき等に、停止される（ステップ＃３．８）。
【００４９】
〔温ミスト運転〕
図４に示す処理フローに基づいて、制御手段５１により実行される温ミスト運転について説明する。
温ミスト運転では、使用者がリモコン６により浴室ミスト装置の電源を入れ、運転切り替えスイッチ６２により「温ミスト運転」に設定し決定ボタン６５を押下することで開始される（ステップ＃４．０）。
【００５０】
温ミスト運転が開始され、後述する各種変数Ｔａ、Ｔａｈ、ΔＴａ，Ｖｈが初期化（０に設定）された後に（ステップ＃４．１）、温度センサ７により浴室温度Ｔａが検出され（ステップ＃４．２）、この検出された浴室温度Ｔａが高いほどミストノズル３５へ供給される湯水の設定湯水温度Ｔｗを低くする形態で湯水温度設定手段５２を制御する湯水温度制御が実行される。
【００５１】
詳しくは、この湯水温度制御において、その浴室温度Ｔａをキー情報として、記憶部５４に格納されている下記に示すような温ミスト運転用データテーブルにおいてその浴室温度Ｔａに関連付けられている湯水温度が抽出され、その袖出された湯水温度が設定湯水温度Ｔｗとして決定される（ステップ＃４．３）。
そして、湯水温度設定手段５２が制御されて設定湯水温度Ｔｗに温度設定された湯水が、ミストノズル３５に供給され（ステップ＃４．４）、その湯水が浴室Ｙに噴霧される。
【００５２】
ここで、上記温ミスト運転用データテーブルは、使用者に到達するミスト温度が人体の発汗を促す特定ミスト温度（例えば４０℃程度）となるような浴室温度Ｔａに対する設定湯水温度Ｔｗの相関関係を示したデータテーブルである。即ち、浴室温度Ｔａが高くなるほど上記ミスト温度が高くなりやすく、逆に、浴室温度Ｔａが低くなるほど上記ミスト温度が低くなりやすいことから、上記温ミスト運転用データテーブルにおける浴室温度と湯水温度との関係では、ミスト温度が常に特定ミスト温度となるように、浴室温度Ｔａが高くなるほど、湯水温度が低くめに設定されている。
よって、上記湯水温度制御において、実際に検出した浴室温度Ｔａと、この温ミスト運転用データテーブルとを用いて、設定湯水温度Ｔｗｏを決定し、その設定湯水温度Ｔｗｏの湯水をミストノズル３５から浴室Ｙに噴霧することで、使用者に到達するミストの温度を人体の発汗を促す温度に保つことができる。
【００５３】
更に、温度センサ３６で検出される浴室温度Ｔａが、人体の発汗を促す目標浴室温度Ｔａｈ（３８℃〜４２℃、好ましくは４０℃）に近づけるように浴室温度調整手段として機能する暖房手段Ａを制御する浴室温度制御が実行される。
【００５４】
また、この浴室温度制御では、目標浴室温度Ｔａｈに対する浴室温度Ｔａの温度差ΔＴａが算出され（ステップ＃４．５）、上記温度差ΔＴａが大きいほど設定温風供給量Ｖｈが大きめに決定され（ステップ＃４．６）、浴室温度調整手段として機能する暖房手段Ａの温風供給量が設定温風供給量Ｖｈに設定されて暖房運転が実行される（ステップ＃４．７）。
即ち、浴室温度Ｔａが、目標浴室温度Ｔａｈに対して低い場合には、大きめの設定温風供給量Ｖｈで温風が浴室Ｙに供給されるので、浴室温度Ｔａを上昇させて目標浴室温度Ｔａｈに近づけることができる。
尚、ステップ＃４．５において、温度差ΔＴａは、ステップ＃４．４で設定湯水温度Ｔｗｏの湯水を供給してから新たに検出した浴室温度Ｔａを用いて算出することができる。また、この浴室温度Ｔａを検出するタイミングは、ステップ＃４．４で設定湯水温度Ｔｗｏの湯水を供給してから、ある程度の時間が経過してからが望ましい。
【００５５】
また、これまで説明してきた温ミスト運転は、使用者が運転切り替えスイッチ６２により「運転停止」に設定し決定ボタン６５を押下したときに、又は、予め設定された運転時間が経過したとき等に、停止される（ステップ＃４．８）。
【００５６】
更に、上述した温ミスト運転及び冷ミスト運転において、湯水温度補正手段５３は、使用者が選択ボタン６４と決定ボタン６５の操作により「あつめ」を選択する毎に、温ミスト運転用又は冷ミスト運転用データテーブルから抽出した湯水温度に対して加算する温度を０．５℃ずつ増加させ、当該加算後の湯水温度を設定湯水温度に決定し、逆に、「つめため」を選択する毎に、温ミスト運転用又は冷ミスト運転用データテーブルから抽出した湯水温度に減算する温度を０．５℃ずつ増加させ、当該減算後の湯水温度を設定湯水温度に決定する形態で、設定湯水温度を補正することができる。
【００５７】
〔別実施形態〕
（１）上記実施の形態では、ミストノズル３５を通じて浴室Ｙに噴霧される湯水を、ミスト用熱交換器１９において熱源機１で加熱された湯水からの伝熱により間接的に加熱するように構成したが、別に、熱源機から直接ミストノズルに湯水を供給するように構成して、ミストノズルに供給される湯水を熱源機で直接的に加熱するように構成しても構わない。また、このように熱源機１からミストノズルに直接湯水を供給する場合には、湯水温度設定手段は、熱源機での加熱量を調整して湯水の温度を設定する手段として構成することができる。
【００５８】
（２）上記実施の形態では、温ミスト運転においては、浴室温度が目標浴室温度よりも低いと想定して浴室温度を上昇させるための暖房運転を行い、一方、冷ミスト運転においては、浴室温度が目標浴室温度よりも高いと想定して浴室温度を低下させるための換気運転を行うように構成したが、別に、夫々のミスト運転において、暖房運転及び換気運転を切り替えて行って、浴室温度を任意に上昇又は低下させるように構成しても構わない。
【００５９】
（３）上記実施の形態では、ミスト運転においてミストノズル３５への湯水の温度として設定される設定湯水温度を補正可能な湯水温度補正手段５３を設けたが、これを省略しても構わない。
また、制御手段５１は、ミスト運転の湯水温度制御において、検出した浴室温度Ｔａから、記憶部５４に格納されたデータテーブルを用いて、設定湯水温度を決定するように構成したが、別に、データテーブルの代わりに、使用者に到達するミスト温度が特定ミスト温度となるときの浴室温度と湯水温度との相関関係を示す関数などを用いて、検出した浴室温度から設定湯水温度を決定しても構わない。
【００６０】
（４）上記実施形態では、浴室温度は温度センサ３６により検出するように構成したが、別に、屋外に設けた温度センサや気象情報から取得した外気温度から浴室温度を推定するようにしても構わない。
【産業上の利用可能性】
【００６１】
本願発明に係る浴室ミスト装置は、例えば各家庭の浴室に取付けられて、使用者の快適性をより向上させることができる浴室ミスト装置として有効に利用可能である。
【図面の簡単な説明】
【００６２】
【図１】浴室ミスト装置が設けられた浴室の状態を示す斜視図
【図２】浴室ミスト装置の概略構成図
【図３】冷ミスト運転のフロー図
【図４】温ミスト運転のフロー図
【符号の説明】
【００６３】
１：熱源器
３５：ミストノズル（ミスト手段）
３６：温度センサ（浴室温度検出手段）
５１：制御手段
５２：湯水温度設定手段
５３：湯水温度補正手段
Ａ：暖房手段（浴室温度調整手段）
Ｂ：換気手段（浴室温度調整手段）
【図１】
2007268172.tif 000003
【図２】
2007268172.tif 000004
【図３】
2007268172.tif 000005
【図４】
2007268172.tif 000006